(57)【要約】【課題】  巻径調整用部材等の特別の部材を用いなくても、巻取軸におけるシャッターカーテンの巻径を巻取軸に軸方向に略均一化できるようになるシャッター装置を提供すること。【解決手段】  ２個の覆い部材２４，２５のそれぞれは、連通部２３の一部を覆う覆い部２４Ａ，２５Ａと、連通部２３からはみ出すはみ出し部２４Ｂ，２５Ｂとを有するものとし、２個の覆い部材２４，２５の両方について、連通部２３のうち、一方の覆い部材２４（２５）の覆い部２４Ａ（２５Ａ）により覆われた部分を除いた部分である連通残余部２３Ｘ（２３Ｙ）の形状と、他方の覆い部材２５（２４）のはみ出し部２５Ｂ（２４Ｂ）の形状とは、巻取軸２の軸方向と略平行であって連通部２３の上辺２７に対して対称又は略対称となるように、連通部２３を２個の覆い部材２４，２５で覆う。【選択図】  図１
2005180124.tif 000002
【特許請求の範囲】
【請求項１】
閉鎖動作により空間を仕切るとともに、巻取軸に巻き取られて収納されるシャッターカーテンを有し、このシャッターカーテンが、カーテン本体と、このカーテン本体に形成され、前記シャッターカーテンにより仕切られた空間同士の間を連通させる少なくとも１個の連通部と、前記カーテン本体における一方の面及び他方の面で前記連通部を開閉自在に覆う２個の覆い部材とを含んで構成されたシャッター装置において、前記２個の覆い部材のそれぞれは、前記連通部の一部を覆う覆い部と、前記連通部からはみ出すはみ出し部とを有し、前記２個の覆い部材の両方について、前記連通部のうち、一方の前記覆い部材の前記覆い部により覆われた部分を除いた部分である連通残余部の形状と、他方の前記覆い部材の前記はみ出し部の形状とは、前記巻取軸の軸方向と平行又は略平行であって前記連通部の上端部を通る直線に対して対称又は略対称であり、前記連通部が前記２個の覆い部材により覆われるときには、前記一方の覆い部材と前記他方の覆い部材とは、前記連通部において一部同士が互いに対面するものとなっていることを特徴とするシャッター装置。
【請求項２】
請求項１に記載のシャッター装置において、前記連通部は上辺と下辺を有する形状となっており、前記連通部の上辺と下辺は前記巻取軸の軸方向と平行又は略平行であり、前記２個の覆い部材の形状は、前記連通部の前記上辺の中点と前記連通部の前記下辺の中点とを結ぶ直線に対して対称又は略対称な直角三角形となっており、前記連通部が前記２個の覆い部材により覆われるときには、前記２個の覆い部材の斜辺同士は、前記連通部の前記上辺の前記中点又は前記中点の上部近傍で交差するものとなっていることを特徴とするシャッター装置。
【請求項３】
請求項１又は２に記載のシャッター装置において、前記２個の覆い部材のそれぞれの下辺の長さは、前記連通部の前記下辺の長さと同一又は略同一となっていることを特徴とするシャッター装置。
【請求項４】
請求項１に記載のシャッター装置において、前記連通部は上辺と下辺を有する形状となっており、前記連通部の上辺と下辺は前記巻取軸の軸方向と平行又は略平行であり、前記２個の覆い部材の形状は、前記連通部の前記上辺の中点と前記連通部の前記下辺の中点とを結ぶ直線に対して対称又は略対称な台形となっており、前記２個の覆い部材のそれぞれの下辺の長さは、前記連通部の前記下辺の長さよりも短く、一方の前記覆い部材の上辺の長さは、前記連通部の前記下辺の長さから他方の前記覆い部材の前記下辺の長さを除いた長さと同一又は略同一であり、前記連通部が前記２個の覆い部材により覆われるときには、前記２個の覆い部材の斜辺同士は、前記連通部の前記上辺の前記中点又は前記中点の上部近傍で交差するものとなっていることを特徴とするシャッター装置。
【請求項５】
請求項１〜４のいずれかに記載のシャッター装置において、前記２個の覆い部材のそれぞれにおける開閉中心部は、前記カーテン本体に取り外し不能に密着結合されていることを特徴とするシャッター装置。
【請求項６】
請求項１〜４のいずれかに記載のシャッター装置において、前記２個の覆い部材のそれぞれは、前記カーテン本体に対して、取り付け、取り外し自在となっていることを特徴とするシャッター装置。
【請求項７】
請求項１〜６のいずれかに記載のシャッター装置において、前記２個の覆い部材同士が互いに対面する部分のうちの少なくとも一部同士は、係脱手段により互いに係脱自在となっていることを特徴とするシャッター装置。
【請求項８】
請求項１，２，３，４，６，７のうちのいずれかに記載のシャッター装置において、前記カーテン本体は、開口部が形成されている主体部材と、この主体部材の前記開口部の一部を覆う補助部材とから構成されており、前記連通部は、前記主体部材の前記開口部のうち、前記補助部材によって覆われた部分を除いた部分となっており、前記補助部材は、前記主体部材に対して取り付け、取り外し自在となっていることを特徴とするシャッター装置。
【請求項９】
請求項１〜８のいずれかに記載のシャッター装置において、前記シャッターカーテンは、閉鎖動作により前記空間を仕切ったときに防災区画を形成するためのものとなっていることを特徴とするシャッター装置。
【発明の詳細な説明】
【技術分野】
【０００１】
本発明は、シャッターカーテンを巻取軸に巻き取って収納する巻取式のシャッター装置に係り、例えば、シャッターカーテンで防災区画を形成するための防災用シャッター装置等に利用できるものである。
【背景技術】
【０００２】
防火や防煙等のための防火用シャッター装置は、火災発生等の非常時等において、耐火性等を有するシャッターカーテンの閉鎖動作により空間が仕切られ、これにより防災区画が形成され、発生した火炎や煙等を遮断するものである。
【０００３】
しかし、人間が、シャッターカーテンの閉鎖動作が完了するまでの間に、火炎や煙等が発生している空間から安全な空間へと避難できなかった場合には、その人間はその場に取り残されてしまうことになる。
【０００４】
そこで、火炎や煙等が発生している空間に人が取り残されてしまう場合を考慮して、シャッターカーテンにより仕切られた空間同士の間を連通させ、非常用の出入口等として用いられる少なくとも１個の連通部をシャッターカーテンのカーテン本体に形成した防災用シャッター装置がある。
【０００５】
しかし、カーテン本体に連通部を形成しただけでは、発生した火炎や煙等が連通部を通り抜けて安全な空間へ流入してしまうおそれがあるため、カーテン本体における一方の面及び他方の面で連通部を開閉自在に覆うための２個の覆い部材をカーテン本体に設けた防災用シャッター装置が提案されている（例えば、特許文献１参照。）。
【０００６】
この防災用シャッター装置では、２個の覆い部材がカーテン本体における一方の面及び他方の面で連通部を開閉自在に覆うことにより、連通部の周縁部の厚みが他の部分よりも大きくなってしまうため、シャッターカーテンを巻取軸に巻き取って収納した際のシャッターカーテンの巻径のうち、２個の覆い部材が設けられている部分の巻径が大きくなってしまう。
【０００７】
そこで、この防災用シャッター装置では、カーテン本体のうちの連通部が形成されていない他の部分には、シャッターカーテンを巻取軸に巻き取って収納した際のシャッターカーテンの巻径を調整するための巻径調整用部材を設け、これにより、巻取軸におけるシャッターカーテンの巻径が巻取軸の軸方向に略均一となるようにしている。
【特許文献１】特開２００１−８２０５４号公報（段落番号００３８〜００６８、図１）
【発明の開示】
【発明が解決しようとする課題】
【０００８】
しかし、この防災用シャッター装置では、シャッターカーテンのカーテン本体の構成部品として、２個の覆い部材の他に、巻径調整用部材を必要とするため、その分だけこの防災用シャッター装置を構成する部品点数は多くなる。
【０００９】
本発明の目的は、巻径調整用部材等の特別の部材を用いなくても、巻取軸におけるシャッターカーテンの巻径を巻取軸の軸方向に略均一化できるようになるシャッター装置を提供するところにある。
【課題を解決するための手段】
【００１０】
本発明に係るシャッター装置は、閉鎖動作により空間を仕切るとともに、巻取軸に巻き取られて収納されるシャッターカーテンを有し、このシャッターカーテンが、カーテン本体と、このカーテン本体に形成され、シャッターカーテンにより仕切られた空間同士の間を連通させる少なくとも１個の連通部と、カーテン本体における一方の面及び他方の面で連通部を開閉自在に覆う２個の覆い部材とを含んで構成されたシャッター装置において、２個の覆い部材のそれぞれは、連通部の一部を覆う覆い部と、連通部からはみ出すはみ出し部とを有し、２個の覆い部材の両方について、連通部のうち、一方の覆い部材の覆い部により覆われた部分を除いた部分である連通残余部の形状と、他方の覆い部材のはみ出し部の形状とは、巻取軸の軸方向と平行又は略平行であって連通部の上端部を通る直線に対して対称又は略対称であり、連通部が２個の覆い部材により覆われるときには、一方の覆い部材と他方の覆い部材とは、連通部において一部同士が互いに対面するものとなっていることを特徴とするものである。
【００１１】
このシャッター装置によると、２個の覆い部材のそれぞれは、連通部の一部を覆う覆い部と、連通部からはみ出すはみ出し部とを有し、２個の覆い部材の両方について、連通部のうち、一方の覆い部材の覆い部により覆われた部分を除いた部分である連通残余部の形状と、他方の覆い部材のはみ出し部の形状とは、巻取軸の軸方向と平行又は略平行であって連通部の上端部を通る直線に対して対称又は略対称となっているので、シャッターカーテンが巻取軸に巻き取られたときには、２個の覆い部材の両方について、カーテン本体と重なり合っている一方の覆い部材のはみ出し部と、このはみ出し部の形状とは巻取軸の軸方向と平行又は略平行であって連通部の上端部を通る直線に対して対称又は略対称の形状となっていて、一方の覆い部材に覆われている連通残余部とが、巻取軸の軸径方向に重なり合うことになる。すなわち、シャッターカーテンが巻取軸に巻き取られたときには、最大で略３枚のカーテン本体が巻取軸の軸径方向に重なり合うことになる。
【００１２】
このため、本発明によると、シャッターカーテンを巻取軸に巻き取って収納した際のシャッターカーテンの巻径のうち、２個の覆い部材が設けられて部分の巻径は、従来のシャッター装置のものと比較してより小さいものとなり、これにより、巻径調整用部材等の特別の部材を用いなくても、巻取軸におけるシャッターカーテンの巻径を巻取軸の軸方向により略均一化できるようになる。
【００１３】
また、このシャッター装置によると、連通部が２個の覆い部材により覆われるときには、一方の覆い部材と他方の覆い部材とが連通部において一部同士が互いに対面するものとすることにより、一方の覆い部材と他方の覆い部材とが、連通部において一部同士が互いに対面しない場合と比較して、連通部の密閉性を高めることができる。
【００１４】
本発明において、カーテン本体に形成する連通部は、正方形、長方形、三角形、台形、ホームベース形、逆ホームベース形、円形、楕円形、半円形等の各種の形状を有するものでよく、任意であるが、正方形や長方形等のように上辺と下辺を有している方形の形状を有していることが一般的である。
【００１５】
また、本発明において、連通部を覆う２個の覆い部材のそれぞれは、連通部のうち、一方の覆い部材の覆い部により覆われた部分を除いた部分である連通残余部の形状と、他方の覆い部材のはみ出し部の形状とが、巻取軸の軸方向と平行又は略平行であって連通部の上端部を通る直線に対して対称又は略対称となる形状を有するものであればよく、任意である。
【００１６】
以上の本発明において、巻取軸におけるシャッターカーテンの巻径を巻取軸の軸方向により略均一化できるようにするための方策の一例として、連通部は上辺と下辺を有する形状とし、連通部の上辺と下辺は巻取軸の軸方向と平行又は略平行であるものとし、２個の覆い部材の形状は、連通部の上辺の中点と連通部の下辺の中点とを結ぶ直線に対して対称又は略対称な直角三角形とし、連通部が２個の覆い部材により覆われるときには、２個の覆い部材の斜辺同士は、連通部の上辺の中点又は中点の上部近傍で交差するものとしたものが挙げられる。
【００１７】
これによると、連通部は上辺と下辺を有する形状となっており、連通部の上辺と下辺は巻取軸の軸方向と平行又は略平行であり、２個の覆い部材の形状は、連通部の上辺の中点と連通部の下辺の中点とを結ぶ直線に対して対称又は略対称な直角三角形となっているので、２個の覆い部材の両方について、連通部のうち、一方の覆い部材の覆い部により覆われた部分を除いた部分である連通残余部の形状と、他方の覆い部材のはみ出し部の形状とは、巻取軸の軸方向と平行又は略平行であって連通部の上端部を通る直線に対して対称又は略対称となり、この場合の連通残余部と覆い部材のはみ出し部の形状は、ともに直角三角形となる。
【００１８】
このため、シャッターカーテンが巻取軸に巻き取られたときには、互いに対称又は略対称な直角三角形の形状を有する２個の覆い部材の両方について、カーテン本体と重なり合っている直角三角形の形状を有する一方の覆い部材のはみ出し部と、このはみ出し部の形状とは巻取軸の軸方向と平行又は略平行であって連通部の上端部を通る直線に対して対称又は略対称の形状となっていて、直角三角形の形状を有する一方の覆い部材に覆われている連通残余部とが、巻取軸の軸径方向に重なり合うことになるので、シャッターカーテンを巻取軸に巻き取って収納した際のシャッターカーテンの巻径のうち、２個の覆い部材が設けられている部分の巻径は、従来のシャッター装置のものと比較してより小さいものとなる。
【００１９】
さらに、これによると、連通部が２個の覆い部材により覆われるときには、２個の覆い部材の斜辺同士が、連通部の上辺の中点又は中点の上部近傍で交差するので、連通部は２個の覆い部材で覆われることになる。また、このとき、２個の覆い部材とカーテン本体とが重なり合う部分は無くなるか、又は連通部の上辺の中点近傍の小面積部分のみとなる。このため、シャッターカーテンを巻取軸に巻き取って収納した際のシャッターカーテンの巻径のうち、２個の覆い部材が設けられている部分の巻径に与える影響はより少ないものとなる。
【００２０】
以上の本発明において、２個の覆い部材のそれぞれの下辺の長さは、連通部の下辺の長さと同一又は略同一となっていてもよく、連通部の下辺の長さよりも短いものとなっていてもよく、任意である。
【００２１】
２個の覆い部材のそれぞれの下辺の長さを連通部の下辺の長さと同一又は略同一とした場合には、連通部が２個の覆い部材により覆われたときの連通部の密閉性はより高いものとなるので、２個の覆い部材のそれぞれの下辺の長さは、連通部の下辺の長さと同一又は略同一となっていることがより好ましい。
【００２２】
本発明において、巻取軸におけるシャッターカーテンの巻径を巻取軸の軸方向により略均一化できるようにするための方策の他の一例として、連通部は上辺と下辺を有する形状とし、連通部の上辺と下辺は巻取軸の軸方向と平行又は略平行であるものとし、２個の覆い部材の形状は、連通部の上辺の中点と連通部の下辺の中点とを結ぶ直線に対して対称又は略対称な台形とし、２個の覆い部材のそれぞれの下辺の長さは、連通部の下辺の長さよりも短く、一方の覆い部材の上辺の長さは、連通部の下辺の長さから他方の覆い部材の下辺の長さを除いた長さと同一又は略同一であり、連通部が２個の覆い部材により覆われるときには、２個の覆い部材の斜辺同士は、連通部の上辺の中点又は中点の上部近傍で交差するものとしたものが挙げられる。
【００２３】
これによると、連通部は上辺と下辺を有する形状となっており、連通部の上辺と下辺は巻取軸の軸方向と平行又は略平行であり、２個の覆い部材の形状は、連通部の上辺の中点と連通部の下辺の中点とを結ぶ直線に対して対称又は略対称な台形となっており、２個の覆い部材のそれぞれの下辺の長さは、連通部の下辺の長さよりも短く、一方の覆い部材の上辺の長さは、連通部の下辺の長さから他方の覆い部材の下辺の長さを除いた長さと同一又は略同一となっているので、２個の覆い部材の両方について、連通部のうち、一方の覆い部材の覆い部により覆われた部分を除いた部分である連通残余部の形状と、他方の覆い部材のはみ出し部の形状とは、巻取軸の軸方向と平行又は略平行であって連通部の上端部を通る直線に対して対称又は略対称となり、この場合の連通残余部と覆い部材のはみ出し部の形状は、ともに台形となる。
【００２４】
このため、シャッターカーテンが巻取軸に巻き取られたときには、互いに対称又は略対称な台形の形状を有する２個の覆い部材の両方について、カーテン本体と重なり合っている台形の形状を有する一方の覆い部材のはみ出し部と、このはみ出し部の形状とは巻取軸の軸方向と平行又は略平行であって連通部の上端部を通る直線に対して対称又は略対称の形状となっていて、台形の形状を有する一方の覆い部材に覆われている連通残余部とが、巻取軸の軸径方向に重なり合うことになるので、前述した巻取軸におけるシャッターカーテンの巻径を巻取軸の軸方向により略均一化できるようにするための方策の一例と同様に、シャッターカーテンを巻取軸に巻き取って収納した際のシャッターカーテンの巻径のうち、２個の覆い部材が設けられている部分の巻径は、従来のシャッター装置のものと比較してより小さいものとなる。
【００２５】
さらに、これによると、連通部が２個の覆い部材により覆われるときには、２個の覆い部材の斜辺同士が、連通部の上辺の中点又は中点の上部近傍で交差するので、連通部は２個の覆い部材で覆われることになる。また、このとき、２個の覆い部材とカーテン本体とが重なり合う部分は無くなるか、又は連通部の上辺の中点近傍の小面積部分のみとなる。このため、前述した巻取軸におけるシャッターカーテンの巻径を巻取軸の軸方向により略均一化できるようにするための方策の一例と同様に、シャッターカーテンを巻取軸に巻き取って収納した際のシャッターカーテンの巻径のうち、２個の覆い部材が設けられている部分の巻径に与える影響はより少ないものとなる。
【００２６】
本発明において、２個の覆い部材が連通部を開閉自在に覆うために、２個の覆い部材のそれぞれにおける開閉中心部はカーテン本体に取り付けられることになるが、それぞれの開閉中心部は、カーテン本体に対して、取り付け、取り外し自在となっていてもよく、カーテン本体から取り外し不能となっていてもよく、任意である。
【００２７】
ここで、それぞれの開閉中心部をカーテン本体に対して取り付け、取り外し自在とするための取り付け手段は、マグネットによる取り付けでもよく、フックによる取り付けでもよく、ファスナーによる取り付けでもよく、レール状の雌咬合子と雄咬合子との係合による、いわゆる面ファスナーによる取り付けでもよく、フック状の雄型係合子とパイル状の雌型係合子との係合による、いわゆるベルクロ式ファスナーによる取り付けでもよく、リベット、ボルト・ナット、ビス等の止着具を使用した止着等による取り付けでもよく、また、これらを組み合わせたものによる取り付けでもよく、任意である。
【００２８】
また、それぞれの開閉中心部をカーテン本体から取り外し不能とするための取り付け手段は、縫着による取り付けでもよく、接着による取り付けでもよく、溶着による取り付けでもよく、また、これらを組み合わせたものによる取り付けでもよく、任意である。
【００２９】
それぞれの開閉中心部をカーテン本体から取り外し不能に密着結合させた場合には、２個の覆い部材が連通部を覆ったときにおける連通部の密閉性は高いものとなり、また、このとき、それぞれの覆い部材がカーテン本体から脱落するような事態の発生を防止することができる。
【００３０】
本発明において、２個の覆い部材のそれぞれは、カーテン本体に取り付けられるが、それぞれの覆い部材は、カーテン本体に対して取り付け、取り外し自在となっていてもよく、カーテン本体から取り外し不能となっていてもよく、任意である。
【００３１】
２個の覆い部材のそれぞれが、カーテン本体に対して取り付け、取り外し自在となっている場合には、２個の覆い部材のうちの少なくとも一方の覆い部材に破損、汚損等が生じたとき、破損、汚損等が生じた覆い部材のみをカーテン本体から取り外すことができるので、この破損、汚損等が生じた覆い部材を交換用の覆い部材と交換する作業が容易となる。このため、カーテン本体のメンテナンスにかかる手間やコストを削減することができる。
【００３２】
前述したように、本発明では、連通部が２個の覆い部材により覆われるときには、一方の覆い部材と他方の覆い部材とは、連通部において一部同士が互いに対面するものとなっているが、２個の覆い部材同士が互いに対面する部分のうちの少なくとも一部同士は、単に対面しているだけとなっていてもよく、係脱手段により互いに係脱自在となっていてもよく、任意である。
【００３３】
２個の覆い部材同士が互いに対面する部分のうちの少なくとも一部同士が、係脱手段により互いに係脱自在となっている場合には、連通部が２個の覆い部材により覆われている状態における連通部の密閉性はより高いものとなる。
【００３４】
また、人間が連通部を通り抜けようとするときには、人間は、２個の覆い部材同士が互いに対面する部分のうちの少なくとも一部同士が係脱手段により係合している状態を容易に解除することができ、この後、人間は、２個の覆い部材の端部をめくるなどして連通部を開口することにより、連通部を通り抜けることができるようになる。
【００３５】
なお、ここでいう係脱手段とは、前述したようなマグネットによるものでもよく、フックによるものでもよく、ファスナーによるものでもよく、レール状の雌咬合子と雄咬合子との係合による、いわゆる面ファスナーによるものでもよく、フック状の雄型係合子とパイル状の雌型係合子との係合による、いわゆるベルクロ式ファスナーによるものでもよく、リベット、ボルト・ナット、ビス等の止着具を使用した止着等によるものでもよく、また、これらを組み合わせたものによるものでもよく、任意である。
【００３６】
なお、２個の覆い部材同士が互いに対面する部分に係脱手段を設ける箇所は任意であるが、連通部の密閉性をより高めるためには、係脱手段は、２個の覆い部材同士が互いに対面する部分の周縁部に設けることがより好ましい。
【００３７】
以上の本発明において、カーテン本体は、開口部が形成されている主体部材と、この主体部材の開口部の一部を覆う補助部材とから構成されるものとし、このときの連通部は、主体部材の開口部のうち、補助部材によって覆われた部分を除いた部分となるようにしてもよい。また、この場合において、補助部材は、主体部材に対して取り付け、取り外し自在となっていてもよく、主体部材から取り外し不能となっていてもよく、任意である。
【００３８】
ここで、補助部材を主体部材に対して取り付け、取り外し自在とするための取り付け手段は、前述した２個の覆い部材のそれぞれとカーテン本体との関係と同様に、マグネットによる取り付けでもよく、フックによる取り付けでもよく、ファスナーによる取り付けでもよく、レール状の雌咬合子と雄咬合子との係合による、いわゆる面ファスナーによる取り付けでもよく、フック状の雄型係合子とパイル状の雌型係合子との係合による、いわゆるベルクロ式ファスナーによる取り付けでもよく、リベット、ボルト・ナット、ビス等の止着具を使用した止着等による取り付けでもよく、また、これらを組み合わせたものによる取り付けでもよく、任意である。
【００３９】
また、補助部材を主体部材に取り外し不能とするための取り付け手段は、前述した２個の覆い部材のそれぞれとカーテン本体との関係と同様に、縫着による取り付けでもよく、接着による取り付けでもよく、溶着による取り付けでもよく、また、これらを組み合わせたものによる取り付けでもよく、任意である。
【００４０】
補助部材が、主体部材に対して取り付け、取り外し自在となっている場合には、前述した２個の覆い部材のそれぞれとカーテン本体との関係と同様に、補助部材のみに破損、汚損等が生じたとき、破損、汚損等が生じた補助部材のみを主体部材から取り外すことができるので、この破損、汚損等が生じた補助部材を交換用の補助部材と交換する作業が容易となる。このため、カーテン本体のメンテナンスにかかる手間やコストを削減することができる。
【００４１】
また、前述したように、人間が、連通部を通り抜けようとするときには、人間は、２個の覆い部材の端部をめくるなどして連通部を開口することにより、連通部を通り抜けることができるようになるが、補助部材が、主体部材に対して取り付け、取り外し自在となっている場合には、補助部材の端部をさらにめくるなどして、開口された連通部をさらに拡大することができ、これにより、一度に多くの人間がこの連通部を通り抜けることができるようになる。
【００４２】
なお、主体部材の開口部を覆う補助部材の個数は、１個のみでもよく、複数個でもよく、任意である。
【００４３】
また、補助部材が主体部材の開口部を覆う部分は、開口部の上方部分でもよく、開口部の下方部分でもよく、開口部の右方部分でもよく、開口部の左方部分でもよく、これらを組み合わせた部分でもよく、任意である。
【００４４】
本発明は、シャッターカーテンのカーテン本体に連通部が設けられているものであれば、任意な用途のためのシャッター装置に適用できる。その一例として、シャッターカーテンの閉鎖動作により空間を仕切ったときに防災区画を形成するための防災用シャッター装置があげられる。また、他の一例として、建物の出入口をシャッターカーテンで開閉するための出入口用シャッター装置があげられる。なお、ここでいう防災用シャッター装置には、エレベータとエレベータホールとの間でシャッターカーテンが閉鎖動作を行うエレベータ用シャッター装置が含まれる。
【００４５】
なお、本発明において、シャッターカーテンは、薄厚部材で形成されたスクリーン式のものから形成されるものでもよく、スラット、パネル等のようにスクリーン式以外の金属材料等の部材で形成されるものでもよく、また、これらを組み合わせて形成されるものでもよい。
【００４６】
本発明を防災用シャッター装置に適用した場合においては、シャッターカーテンは、耐火性、遮熱性、遮煙性、防水性等を有するもので形成されることが要求されるが、シャッターカーテンは、耐火性等を有するものであれば、クロス製や合成樹脂製等の薄厚部材で形成されたスクリーン式のものでもよく、スラット、パネル等のようにスクリーン式以外の金属材料等の部材で形成されたものでもよく、また、これらを組み合わせて形成されたものでもよい。
【００４７】
また、本発明を出入口用シャッター装置に適用した場合においては、シャッターカーテンは、耐火性等を有するもので形成されることは必ずしも要求されず、シャッターカーテンは、クロス製や合成樹脂製等の薄厚部材で形成されたスクリーン式のものでもよく、スラット、パネル等のようにスクリーン式以外の金属材料等の部材で形成されたものでもよく、また、これらを組み合わせて形成されたものでもよい。
【００４８】
本発明において、カーテン本体に設ける連通部の個数は、１個のみでも、複数個でもよく、任意であるが、カーテン本体に複数個の連通部を等間隔に形成し、これらの複数個の連通部をそれぞれ２個の覆い部材で覆った場合には、巻取軸におけるシャッターカーテンの巻径を巻取軸の軸方向により略均一化できるようになる。
【００４９】
また、カーテン本体に連通部を複数個形成することにより、人間が連通部を通り抜けようとする事態が発生したときには、一度に多くの人間がこれらの複数個の連通部を通り抜けることができる。
【００５０】
本発明において、カーテン本体に形成する連通部は、下端部がカーテン本体におけるシャッターカーテンの閉鎖方向の先端部に沿うように設けてもよく、下端部がカーテン本体におけるシャッターカーテンの閉鎖方向の先端部に対して離間するように設けてもよく、任意である。
【００５１】
本発明において、２個の覆い部材の斜辺同士が連通部の上辺の中点でちょうど交差するように２個の覆い部材で連通部を覆った場合には、２個の覆い部材とカーテン本体とが重なる部分は最小となる。
【００５２】
本発明において、連通部の用途としては、火災発生時等の緊急時の避難の際に用いられる非常用の出入口が主なものとして挙げられるが、この他に、通常時において人の出入や物体の通過に用いられる出入口、あるいは人の出入や物体の通過を前提としない単なる覗き窓（シャッターカーテンの向こう側の状況を確認するためのもの、例えば、防災用シャッター装置の場合であれば、煙の発生状況や火災の進展状況等をシャッターカーテン越しに確認するためのもの）等も含まれる。なお、連通部が出入口として用いられるときは、双方向からの出入や通過が可能な場合だけでなく、一方向のみの出入や通過しか行えない場合も含まれる。
【００５３】
本発明において、シャッターカーテンの移動方向は上下方向でもよく、水平方向でもよく、上下方向に対して角度をなす斜めの方向でもよく、これらを複合した方向でもよい。
【発明の効果】
【００５４】
本発明によると、巻径調整用部材等の特別の部材を用いなくても、巻取軸におけるシャッターカーテンの巻径を巻取軸の軸方向に略均一化できるようになる。
【発明を実施するための最良の形態】
【００５５】
以下に、本発明を実施するための形態を図面に基づいて説明する。以下に説明する実施形態に係るシャッター装置は、室内空間１１に防災区画を形成するために設置された防災用シャッター装置１である。はじめに、この防災用シャッター装置１の全体構造を図１に基づいて説明する。
【００５６】
防災用シャッター装置１は、シャッターカーテン２１の閉鎖動作により室内空間１１を仕切るものである。室内空間１１の上部には、例えば、室内空間と天井部材で仕切られた天井裏空間には、水平の巻取軸２が左右一対のブラケット３で回転自在に支持され、この巻取軸２に上端部、すなわち巻取軸２側の端部が結合されているシャッターカーテン２１の左右端部は、柱や壁等の建物躯体８に設けられた左右のガイドレール４の内部に抜け止め部材４２によって抜け止めされながら、スライド自在に挿入されている。このシャッターカーテン２１は、カーテン本体２２と、このカーテン本体の下端に設けられている座板４１とを有する。
【００５７】
カーテン本体２２の全部又は大部分が、耐火塗料等を塗布及び／又は含侵させたガラスクロス又はシリカクロスによる防火性と防煙性を有する薄厚部材で形成されたスクリーン式のシャッターカーテン２１は、平常時には巻取軸２に巻き取られている。なお、巻取軸２や左右のブラケット３等は、シャッターケース７の内部に組み込まれている。
【００５８】
室内空間１１を仕切るために、巻取軸２の正回転によるシャッターカーテン２１の繰り出しがなされ、このシャッターカーテン２１の閉鎖動作はガイドレール４で案内されながら行われる。
【００５９】
左右一対のブラケット３のうち一方のブラケット３には、モータとブレーキを有する開閉機５が取り付けられ、この開閉機５は巻取軸２とチェーン、スプロケット等で構成される動力伝動手段６を介して連結されている。火災発生等によって図示しない手動レバーが操作されることにより、又は図示しないセンサが煙あるいは熱等を検出してこの検出信号が開閉機５の制御装置に送られることにより、開閉機５のブレーキが解除され、これによりシャッターカーテン２１は座板４１の重量を含む自重で巻取軸２を回転させながら下降する閉鎖動作を行い、座板４１が相手部材である床１０に接触してシャッターカーテン２１が全閉鎖状態となることにより、シャッターカーテン２１で室内空間１１に防火区画が形成される。
【００６０】
また、図示しないスイッチを操作すると、開閉機５のモータが駆動され、これにより、巻取軸２の回転でシャッターカーテン２１が巻取軸２に巻き取られ、シャッターカーテン２１は開放動作を行う。
【００６１】
なお、火災によって発生した煙がシャッターカーテン２１で仕切られた反対側の空間へ流出するのを防ぐため、シャッターカーテン２１の左右端部が挿入されたガイドレール４の内部と、シャッターカーテン２１が出入するシャッターケース７のまぐさの部分には、それぞれ、図示しない遮煙部材が組み込まれている。
【００６２】
なお、後述するカーテン本体２２に形成されている連通部を覆う覆い部材は、カーテン本体２２と同様に、覆い部材の全部又は大部分が、耐火塗料等を塗布及び／又は含侵させたガラスクロス又はシリカクロスによる防火性と防煙性を有する薄厚部材で形成されたスクリーン式のものとなっている。
【００６３】
図１及び図２は、本発明の第一の実施形態であり、図１は、閉鎖動作により室内空間１１を仕切るとともに、巻取軸２に巻き取られて収納されるシャッターカーテン２１を有し、このシャッターカーテン２１は、カーテン本体２２と、このカーテン本体２２の中央部又は略中央部に形成され、シャッターカーテン２１により仕切られた室内空間１１同士の間を連通させる１個の連通部２３と、カーテン本体２２における図１の手前側の面で連通部２３を覆う覆い部材２４と、カーテン本体２２における図１の裏側の面で連通部２３を覆う覆い部材２５とを含んで構成された防災用シャッター装置１の全体正面図を示すものである。
【００６４】
図１に示すように、覆い部材２４は、連通部２３の一部を覆う覆い部２４Ａと、連通部２３からはみ出すはみ出し部２４Ｂとを有している。これと同様に、覆い部材２５は、連通部２３の一部を覆う覆い部２５Ａと、連通部２３からはみ出すはみ出し部２５Ｂとを有している。
【００６５】
連通部２３の形状は、巻取軸２の軸方向と平行又は略平行である上辺２７と下辺２６とを有し、巻取軸２の軸方向と垂直又は略垂直である左辺２８と右辺２９とを有する長方形となっている。
【００６６】
２個の覆い部材２４，２５の形状は、連通部２３の上辺２７の中点２７Ｍと連通部２３の下辺２６の中点２６Ｍとを結ぶ直線４７に対して対称又は略対称な直角三角形となっており、連通部２３が２個の覆い部材２４，２５により覆われるときには、一方の覆い部材２４の斜辺３１と他方の覆い部材２５の斜辺３３同士は、連通部２３の上辺２７の中点２７Ｍの上部近傍の交点３４で交差している。
【００６７】
連通部２３のうち、覆い部材２４の覆い部２４Ａにより覆われた部分を除いた部分である連通残余部２３Ｘの形状と、覆い部材２５のはみ出し部２５Ｂの形状とは、巻取軸２の軸方向と平行又は略平行であって連通部２３の上端部を通る直線である連通部２３の上辺２７に対して対称又は略対称となっている。これと同様に、連通部２３のうち、覆い部材２５の覆い部２５Ａにより覆われた部分を除いた部分である連通残余部２３Ｙの形状と、覆い部材２４のはみ出し部２４Ｂの形状とは、巻取軸２の軸方向と平行又は略平行であって連通部２３の上端部を通る直線である連通部２３の上辺２７に対して対称又は略対称となっている。
【００６８】
連通部２３は、２個の覆い部材２４，２５により覆われており、一方の覆い部材２４と他方の覆い部材２５とは、連通部２３において一部同士が互いに対面しており、連通部２３には、覆い部材２４と覆い部材２５の一部同士が互いに対面している略二等辺三角形の形状を有する重なり部４３が形成されている。
【００６９】
覆い部材２４とカーテン本体２２とは、覆い部材２４の三辺のうちの高さ３０に沿うように設けられた縫着部３５で取り外し不能に縫着されており、覆い部材２４は、この縫着部３５を開閉中心部として連通部２３を開閉自在に覆うものである。
【００７０】
これと同様に、覆い部材２５とカーテン本体２２とは、覆い部材２５の三辺のうちの高さ３２に沿うように設けられた縫着部３６で取り外し不能に縫着されており、覆い部材２５は、この縫着部３６を開閉中心部として連通部２３を開閉自在に覆うものである。
【００７１】
図１に示すように、連通部２３が２個の覆い部材２４，２５により覆われた状態においては、カーテン本体２２と覆い部材２４のはみ出し部２４Ｂとが互いに対面する部分は、カーテン本体２２及び覆い部材２４を形成する薄厚部材が２枚重なった状態となり、一方、覆い部材２４のはみ出し部２４Ｂとは連通部２３の上端部を通る直線である連通部２３の上辺２７に対して対称又は略対称となっている連通残余部２３Ｙは、他方の覆い部材２５に覆われておらず、覆い部材２４を形成する薄厚部材１枚のみにより覆われた状態となっている。
【００７２】
これと同様に、連通部２３が２個の覆い部材２４，２５により覆われた状態において、カーテン本体２２と覆い部材２５のはみ出し部２５Ｂとが互いに対面する部分は、カーテン本体２２及び覆い部材２５を形成する薄厚部材が２枚重なった状態となり、一方、覆い部材２５のはみ出し部２５Ｂとは連通部２３の上端部を通る直線である連通部２３の上辺２７に対して対称又は略対称となっている連通残余部２３Ｘは、他方の覆い部材２４に覆われておらず、覆い部材２５を形成する薄厚部材１枚のみにより覆われた状態となっている。
【００７３】
また、覆い部材２４の開閉中心部がカーテン本体２２に取り外し不能に縫着されている縫着部３５及びこの近傍は、カーテン本体２２及び覆い部材２４を形成する薄厚部材が２枚重なった状態となっており、これと同様に、覆い部材２５の開閉中心部がカーテン本体２２に取り外し不能に縫着されている縫着部３６及びこの近傍は、カーテン本体２２及び覆い部材２５を形成する薄厚部材が２枚重なった状態となっている。
【００７４】
なお、図１に示すように、連通部２３において、覆い部材２４と覆い部材２５の一部同士が互いに対面する重なり部４３とは連通部２３の上端部を通る直線である連通部２３の上辺２７に対して対称又は略対称となっているカーテン本体２２における略逆二等辺三角形の形状を有する一部分４６は、２個の覆い部材２４，２５のいずれとも重なり合ってはいない。
【００７５】
したがって、図１に示すように、連通部２３が２個の覆い部材２４，２５により覆われたときにおいて、カーテン本体２２及び２個の覆い部材２４，２５を形成する薄厚部材が３枚重なり合うのは、カーテン本体２２における連通部２３の上辺２７の中点２７Ｍの上部近傍の略三角形部分のみとなっている。
【００７６】
前述したように、連通部２３は、２個の覆い部材２４，２５により覆われており、一方の覆い部材２４と他方の覆い部材２５とは、連通部２３において一部同士が互いに対面しており、連通部２３には、覆い部材２４と覆い部材２５の一部同士が互いに対面している略二等辺三角形の形状を有する重なり部４３が形成されている。
【００７７】
この重なり部４３のうち、重なり部４３の右側の斜辺４５の上半分又は略上半分に沿う部分には、係脱手段であるベルクロ式ファスナー３８が設けられており、重なり部４３の右側の斜辺４５の上半分又は略上半分に沿う部分同士は、このベルクロ式ファスナー３８により係脱自在となっている。
【００７８】
これと同様に、重なり部４３のうち、重なり部４３の左側の斜辺４４の上半分又は略上半分に沿う部分には、係脱手段であるベルクロ式ファスナー４０が設けられており、重なり部４３の左側の斜辺４５の上半分又は略上半分に沿う部分同士は、このベルクロ式ファスナー４０により係脱自在となっている。
【００７９】
また、覆い部材２４のはみ出し部２４Ｂとカーテン本体２２とが対面している部分のうち、覆い部材２４の斜辺３１の上四半分又は略上四半分に沿う部分には、係脱手段であるいわゆるベルクロ式ファスナー３７が設けられており、カーテン本体２２と、はみ出し部２４Ｂにおける覆い部材２４の斜辺３１の上四半分又は略上四半分に沿う部分とは、このベルクロ式ファスナー３７により係脱自在となっている。
【００８０】
これと同様に、覆い部材２５のはみ出し部２５Ｂとカーテン本体２２とが対面している部分のうち、覆い部材２５の斜辺３３の上四半分又は略上四半分に沿う部分には、ベルクロ式ファスナー３９が設けられており、カーテン本体２２と、はみ出し部２５Ｂにおける覆い部材２５の斜辺３３の上四半分又は略上四半分に沿う部分とは、このベルクロ式ファスナー３９により係脱自在となっている。
【００８１】
なお、前述したように、ベルクロ式ファスナー３７は、覆い部材２４のはみ出し部２４Ｂとカーテン本体２２とが対面している部分のうち、覆い部材２４の斜辺３１の上四半分又は略上四半分に沿う部分に設けられており、一方、ベルクロ式ファスナー４０は、連通部２３における覆い部材２４と覆い部材２５の一部同士が互いに対面している重なり部４３の左側の斜辺４４の上半分又は略上半分に沿う部分に設けられているので、シャッターカーテン２１を巻取軸２に巻き取ったときに、ベルクロ式ファスナー３７とベルクロ式ファスナー４０とが、巻取軸２の軸径方向に重なり合うことはない。
【００８２】
これと同様に、ベルクロ式ファスナー３９は、覆い部材２５のはみ出し部２５Ｂとカーテン本体２２とが対面している部分のうち、覆い部材２５の斜辺３３の上四半分又は略上四半分に沿う部分に設けられており、ベルクロ式ファスナー３８は、連通部２３における覆い部材２４と覆い部材２５の一部同士が互いに対面している重なり部４３の右側の斜辺４５の上半分又は略上半分に沿う部分に設けられているので、シャッターカーテン２１を巻取軸２に巻き取ったときに、ベルクロ式ファスナー３９とベルクロ式ファスナー３８とが、巻取軸２の軸径方向に重なり合うことはない。
【００８３】
シャッターカーテン２１が全閉鎖状態にあるときにおいて、例えば、図１の手前側の空間にいる人間が、連通部２３を図１の手前側から図１の奥側へと通り抜けようとする場合には、人間は、覆い部材２４の下端部をめくり上げればよい。これにより、覆い部材２４の覆い部２４Ａと覆い部材２５の覆い部２５Ａとの係合状態を保持しているベルクロ式ファスナー３８，４０の係合状態が解除されるので、この後、人間は、連通部２３をカーテン本体２２における図１の奥側で覆っている覆い部材２５の覆い部２５Ａを図１の奥側方向へ押すか、又は覆い部２５Ａの下端部をめくり上げることにより、座板４１をまたぎながら、連通部２３を通り抜けることができる。
【００８４】
図２は、２個の覆い部材２４，２５でカーテン本体２２の連通部２３を覆う前の状態を示す図である。以下、前述した係脱手段であるベルクロ式ファスナー３７，３８，３９，４０が設けられている箇所及びベルクロ式ファスナー３７，３８，３９，４０の構造について述べる。
【００８５】
前述したように、連通部２３が２個の覆い部材２４，２５により覆われるときには、一方の覆い部材２４と他方の覆い部材２５とは、連通部２３において一部同士が互いに対面し、連通部２３には、覆い部材２４と覆い部材２５の一部同士が互いに対面している略二等辺三角形の形状を有する重なり部４３が形成される。
【００８６】
この重なり部４３のうち、重なり部４３の右側の斜辺４５の上半分又は略上半分に沿う部分において、覆い部材２５における図２の手前側の面には、ベルクロ式ファスナー３８の一方の係合子であるパイル状の雌型係合子が連設されており、覆い部材２４における図２の紙面裏側の面には、ベルクロ式ファスナー３８の他方の係合子であるフック状の雄型係合子が連設されており、これらの２個の係合子同士の係合及び係合の解除により、重なり部４３の右側の斜辺４５の上半分又は略上半分に沿う部分同士は、係脱自在となる。
【００８７】
これと同様に、重なり部４３のうち、重なり部４３の左側の斜辺４４の上半分又は略上半分に沿う部分において、覆い部材２５における図２の手前側の面には、ベルクロ式ファスナー４０の一方の係合子であるパイル状の雌型係合子が連設されており、覆い部材２４における図２の紙面裏側の面には、ベルクロ式ファスナー４０の他方の係合子であるフック状の雄型係合子が連設されており、これらの２個の係合子同士の係合及び係合の解除により、重なり部４３の左側の斜辺４５の上半分又は略上半分に沿う部分同士は、係脱自在となる。
【００８８】
また、覆い部材２４のはみ出し部２４Ｂとカーテン本体２２とが対面している部分のうち、覆い部材２４の斜辺３１の上四半分又は略上四半分に沿う部分において、カーテン本体２２における図２の手前側の面には、ベルクロ式ファスナー３７の一方の係合子であるパイル状の雌型係合子が連設されており、覆い部材２４における図２の裏側の面には、ベルクロ式ファスナー３７の他方の係合子であるフック状の雄型係合子が連設されており、これらの２個の係合子同士の係合及び係合の解除により、カーテン本体２２とはみ出し部２４Ｂにおける覆い部材２４の斜辺３１の上四半分又は略上四半分に沿う部分とは、係脱自在となる。
【００８９】
これと同様に、覆い部材２５のはみ出し部２５Ｂとカーテン本体２２とが対面している部分のうち、覆い部材２５の斜辺３３の上四半分又は略上四半分に沿う部分において、カーテン本体２２における図２の裏側の面には、ベルクロ式ファスナー３９の一方の係合子であるパイル状の雌型係合子が連設されており、覆い部材２５における図２の手前側の面には、ベルクロ式ファスナー３９の他方の係合子であるフック状の雄型係合子が連設されており、これらの２個の係合子同士の係合及び係合の解除により、カーテン本体２２とはみ出し部２５Ｂにおける覆い部材２５の斜辺３３の上四半分又は略上四半分に沿う部分とは、係脱自在となる。
【００９０】
以上の本実施形態では、連通部２３のうち、一方の覆い部材２４の覆い部２４Ａにより覆われた部分を除いた部分である連通残余部２３Ｘの形状と、他方の覆い部材２５のはみ出し部２５Ｂの形状とは、巻取軸２の軸方向と平行又は略平行であって連通部２３の上端部を通る直線である上辺２７に対して対称又は略対称となっており、これと同様に、連通部２３のうち、一方の覆い部材２５の覆い部２５Ａにより覆われた部分を除いた部分である連通残余部２３Ｙの形状と、他方の覆い部材２４のはみ出し部２４Ｂの形状とは、巻取軸２の軸方向と平行又は略平行であって連通部２３の上端部を通る直線である上辺２７に対して対称又は略対称となっている。
【００９１】
このため、シャッターカーテン２１が巻取軸２に巻き取られたときには、覆い部材２４のはみ出し部２４Ｂと、このはみ出し部２４Ｂの形状とは連通部２３の上辺２７に対して対称又は略対称の形状となっていて、覆い部材２４に覆われている連通残余部２３Ｙとが、巻取軸２の軸径方向に重なり合うことになり、これと同様に、覆い部材２５のはみ出し部２５Ｂと、このはみ出し部２５Ｂの形状とは連通部２３の上辺２７に対して対称又は略対称の形状となっていて、覆い部材２５に覆われている連通残余部２３Ｘとが、巻取軸２の軸径方向に重なり合うことになる。すなわち、シャッターカーテン２１が巻取軸２に巻き取られたときには、最大で略３枚のカーテン本体２２が巻取軸２の軸径方向に重なり合うことになる。
【００９２】
前述した特許文献１に記載されている従来のシャッターカーテン装置は、２枚の覆い部材が、カーテン本体における一方の面及び他方の面で連通部全体を覆うものであり、連通部が２枚の覆い部材により覆われたときには、連通部の全部分で２枚の覆い部材が重なり合っている状態となり、また、２枚の覆い部材がカーテン本体に縫着されている部分は、２枚の覆い部材と１枚のカーテン本体とが重なり合っている状態となるので、シャッターカーテンが巻取軸に巻き取られたときには、最大で略５枚のカーテン本体が巻取軸の軸径方向に重なり合うことになる。
【００９３】
したがって、本実施形態によると、シャッターカーテン２１を巻取軸２に巻き取って収納した際のシャッターカーテン２１の巻径のうち、２個の覆い部材２４，２５が設けられて部分の巻径は、従来のシャッター装置のものと比較してより小さいものとなり、これにより、巻径調整用部材等の特別の部材を用いなくても、巻取軸２におけるシャッターカーテン２１の巻径を巻取軸２の軸方向により略均一化できるようになる。
【００９４】
また、本実施形態によると、２個の覆い部材２４，２５のそれぞれにおける開閉中心部である縫着部３５，３６が、カーテン本体２２に取り外し不能に密着結合、すなわち、縫着されているので、連通部２３を２個の覆い部材２４，２５で覆ったときにおける連通部２３の密閉性は高いものとなり、また、２個の覆い部材２４，２５のそれぞれがカーテン本体２２から脱落するような事態の発生を防止することができる。
【００９５】
さらに、本実施形態によると、連通部２３が２個の覆い部材２４，２５により覆われるときには、一方の覆い部材２４と他方の覆い部材２５とが連通部２３において一部同士が互いに対面しているので、一方の覆い部材２４と他方の覆い部材２５とが、連通部２３において一部同士が互いに対面しない場合と比較して、連通部２３の密閉性を高めることができる。また、連通部２３が２個の覆い部材２４，２５により覆われるときには、連通部２３において、覆い部材２４と覆い部材２５の一部同士が互いに対面する重なり部４３の一部が、ベルクロ式ファスナー３８，４０により係合状態となるので、連通部２３の密閉性はさらに高いものとなる。
【００９６】
また、本実施形態では、シャッターカーテン２１を巻取軸２に巻き取ったときに、ベルクロ式ファスナー３７とベルクロ式ファスナー４０とが、巻取軸２の軸径方向に重なり合うことはなく、また、ベルクロ式ファスナー３９とベルクロ式ファスナー３８とが、巻取軸２の軸径方向に重なり合うこともない。
【００９７】
このため、本実施形態によると、カーテン本体２２及び２個の覆い部材２４，２５に４個のベルクロ式ファスナー３７，３８，３９，４０を設けても、巻取軸２におけるシャッターカーテン２１の巻径を巻取軸２の軸方向に略均一化できるようになる。
【００９８】
なお、本実施形態では、覆い部材２４の斜辺３１と覆い部材２５の斜辺３３同士は、連通部２３の上辺２７の中点２７Ｍの上部近傍で交差しているが、覆い部材２４の斜辺３１と覆い部材２５の斜辺３３同士が、連通部２３の上辺２７の中点２７Ｍでちょうど交差するように、カーテン本体２２に２個の覆い部材２４，２５を配設することにより、連通部２３が２個の覆い部材２４，２５により覆われたときにおいては、カーテン本体２２と、覆い部材２４と、覆い部材２５との３枚が互いに重なり合う部分を無くすことができ、シャッターカーテン２１の巻径を巻取軸２の軸方向により略均一化できるようになる。
【００９９】
図３及び図４は、本発明の第二の実施形態であり、図３は、前述した第一の実施形態と同様に、閉鎖鎖動作により室内空間１１を仕切るとともに、巻取軸２に巻き取られて収納されるシャッターカーテン２１を有し、このシャッターカーテン２１は、カーテン本体２２と、このカーテン本体２２に形成され、シャッターカーテン２１により仕切られた室内空間１１同士の間を連通させる１個の連通部２３と、カーテン本体２２における図３の手前側の面で連通部２３を覆う覆い部材２４と、カーテン本体２２における図３の裏側の面で連通部２３を覆う覆い部材２５とを含んで構成された防災用シャッター装置１の全体正面図を示すものである。
【０１００】
本実施形態において、カーテン本体２２に形成される連通部２３の形状、大きさ、配
する位置等、この連通部２３を覆う２個の覆い部材２４，２５の形状、大きさ、配設する位置等については、前述した第一の実施形態と同様である。したがって、本実施形態が前述した第一の実施形態と異なる点のみを以下に述べる。
【０１０１】
本実施形態が、前述した第一の実施形態と相違する点は、２個の覆い部材２４，２５のそれぞれにおける開閉中心部が、カーテン本体２２に取り外し不能に縫着されていない点である。
【０１０２】
覆い部材２４とカーテン本体２２とが対面している部分のうち、覆い部材２４の三辺のうちの高さ３０に沿う部分には、係脱自在であるベルクロ式ファスナー３５´が設けられており、カーテン本体２２と覆い部材２４の高さ３０に沿う部分とは、このベルクロ式ファスナー３５´により係脱自在となっている。覆い部材２４は、このベルクロ式ファスナー３５´が設けられている箇所を開閉中心部として連通部２３を開閉自在に覆うものである。
【０１０３】
これと同様に、覆い部材２５とカーテン本体２２とが対面している部分のうち、覆い部材２５の三辺のうちの高さ３２に沿う部分には、係脱自在であるベルクロ式ファスナー３６´が設けられており、カーテン本体２２と覆い部材２５の高さ３２に沿う部分とは、ベルクロ式ファスナー３６´により係脱自在となっている。覆い部材２５は、このベルクロ式ファスナー３６´が設けられている箇所を開閉中心部として連通部２３を開閉自在に覆うものである。
【０１０４】
図４は、前述した図２と同様に、２個の覆い部材２４，２５でカーテン本体２２の連通部２３を覆う前の状態を示す図である。
【０１０５】
前述したように、覆い部材２４とカーテン本体２２とが対面している部分のうち、覆い部材２４の高さ３０に沿う部分において、カーテン本体２２における図３の手前側の面には、ベルクロ式ファスナー３５´の一方の係合子であるパイル状の雌型係合子が連設されており、覆い部材２４における図３の裏側の面には、ベルクロ式ファスナー３５´の他方の係合子であるフック状の雄型係合子が連設されており、これらの２個の係合子同士の係合及び係合の解除により、カーテン本体２２と覆い部材２４の高さ３０に沿う部分とは、係脱自在となっている。
【０１０６】
これと同様に、覆い部材２５とカーテン本体２２とが対面している部分のうち、覆い部材２５の高さ３２に沿う部分において、カーテン本体２２における図３の裏側の面には、ベルクロ式ファスナー３６´の一方の係合子であるパイル状の雌型係合子が連設されており、覆い部材２４における図３の手前側の面には、ベルクロ式ファスナー３６´の他方の係合子であるフック状の雄型係合子が連設されており、これらの２個の係合子同士の係合及び係合の解除により、カーテン本体２２と覆い部材２５の高さ３２に沿う部分とは、係脱自在となっている。
【０１０７】
以上の本実施形態では、前述した第一の実施形態とは異なり、２個の覆い部材２４，２５のそれぞれにおける開閉中心部は、係脱手段であるベルクロ式ファスナー３５´，３６´により、カーテン本体２２に対して取り付け、取り外し自在となっている。
【０１０８】
したがって、本実施形態によると、２個の覆い部材２４，２５のうちの少なくとも一方の覆い部材に破損、汚損等が生じた場合には、破損、汚損等が生じた覆い部材のみをカーテン本体２２から取り外すことができるので、この破損、汚損等が生じた覆い部材を交換用の覆い部材と交換する作業が容易となる。このため、カーテン本体２２のメンテナンスにかかる手間やコストを削減することができる。
【０１０９】
図５は、本発明の第三の実施形態であり、閉鎖動作により室内空間１１を仕切るとともに、巻取軸２に巻き取られて収納されるシャッターカーテン２１を有し、このシャッターカーテン２１は、カーテン本体２２と、このカーテン本体２２に形成され、シャッターカーテン２１により仕切られた室内空間１１同士の間を連通させる３個の連通部１２３Ａ，１２３Ｂ，１２３Ｃと、カーテン本体２２における図５の手前側の面で３個の連通部１２３Ａ，１２３Ｂ，１２３Ｃを覆う３個の覆い部材１２４Ａ，１２４Ｂ，１２４Ｃと、カーテン本体２２における図５の裏側の面で３個の連通部１２３Ａ，１２３Ｂ，１２３Ｃを覆う３個の覆い部材１２５Ａ，１２５Ｂ，１２５Ｃとを含んで構成された防災用シャッター装置１の全体正面図を示すものである。
【０１１０】
図５に示すように、本実施形態が前述した第一の実施形態と異なる点は、前述した第一の実施形態における連通部２３と同一の形状、大きさを有する３個の連通部１２３Ａ，１２３Ｂ，１２３Ｃが、カーテン本体２２に等間隔で形成されていることである。
【０１１１】
これらの３個の連通部１２３Ａ，１２３Ｂ，１２３Ｃをそれぞれ覆う２個の覆い部材は、前述した第一の実施形態における覆い部材２４，２５と同一の形状、大きさ、構造を有しており、３個の連通部１２３Ａ，１２３Ｂ，１２３Ｃが２個の覆い部材により覆われる位置も、前述した第一の実施形態の場合と同様である。
【０１１２】
前述した第一の実施形態では、カーテン本体２２の中央部又は略中央部に１個の連通部２３が形成されているのみであったが、以上の本実施形態では、前述した第一の実施形態と同様に、カーテン本体２２の中央部又は略中央部に１個の連通部１２３Ｂが形成されており、さらに、この連通部１２３Ｂの左右両側には、連通部１２３Ｂとは一定の間隔をおいて、２個の連通部１２３Ａ，１２３Ｃがそれぞれ形成されている。
【０１１３】
このため、本実施形態によると、前述した第一の実施形態と比較して、シャッターカーテン２１を巻取軸２に巻き取って収納したときのシャッターカーテン２１の巻径の巻取軸２の軸方向のバランスがより向上するので、巻径調整用部材等の特別の部材を用いなくても、巻取軸２におけるシャッターカーテン２１の巻径を巻取軸２の軸方向により略均一化できるようになる。
【０１１４】
また、本実施形態によると、カーテン本体２２に３個の連通部１２３Ａ，１２３Ｂ，１２３Ｃが形成されているので、火災発生時等の非常時等にシャッターカーテン２１が全閉状態となっている場合において、シャッターカーテン２１により仕切られた一方の空間から他方の空間へ避難しようしている人間が多数いても、これらの３個の連通部１２３Ａ，１２３Ｂ，１２３Ｃをそれぞれ覆っている２個の覆い部材の下端部を同時にめくり上げることにより、一度に多くの人間が、これらの３個の連通部１２３Ａ，１２３Ｂ，１２３Ｃを同時に通り抜けることができる。
【０１１５】
図６及び図７は、本発明の第四の実施形態を示すものであり、前述した第一〜第三の実施形態の防災用シャッター装置１において、カーテン本体は、開口部が形成されている主体部材と、この主体部材の開口部の一部を覆う補助部材とから構成されており、連通部は、主体部材の開口部のうち、補助部材によって覆われた部分を除いた部分となっており、補助部材は、主体部材に対して取り付け、取り外し自在とした実施形態を示すものである。
【０１１６】
図６は、閉鎖動作により室内空間１１を仕切るとともに、巻取軸２に巻き取られて収納されるシャッターカーテン２１を有し、このシャッターカーテン２１は、カーテン本体２２と、このカーテン本体２２の中央部又は略中央部に形成され、シャッターカーテン２１により仕切られた室内空間１１同士の間を連通させる１個の連通部２２３と、カーテン本体２２における図６の手前側の面で連通部２２３を覆う覆い部材２２４と、これと同様に、カーテン本体２２における図６の手前側の面で連通部２２３を覆う覆い部材２２５とを含んで構成された防災用シャッター装置１であって、カーテン本体２２が、開口部２２３´が形成されている主体部材２２Ａと、この主体部材２２Ａの開口部２２３´の一部を主体部材２２Ａの図６の手前側の面で覆う補助部材２２Ｂとから構成されており、連通部２２３が、主体部材２２Ａの開口部２２３´のうち、補助部材２２Ｂによって覆われた部分を除いた部分となっているものの全体正面図を示すものである。
【０１１７】
以下、本実施形態に係る防災用シャッター装置１のシャッターカーテン２１のカーテン本体２２の構造を図６により説明する。
【０１１８】
本実施形態では、カーテン本体２２の補助部材２２Ｂがカーテン本体２２の主体部材２２Ａと互いに対面する部分は、係脱手段であるベルクロ式ファスナー２５５，２３５，２３６により係脱自在となっており、また、２個の覆い部材２２４，２２５同士が互いに対面する部分のうちの少なくとも一部同士は、係脱手段であるベルクロ式ファスナー２３８，２４０により互いに係脱自在となっており、カーテン本体２２と２個の覆い部材２２４，２２５とが互いに対面する部分のうちの少なくとも一部同士は、係脱手段であるベルクロ式ファスナー２３５，２３６，２３７，２３９により互いに係脱自在となっている。
【０１１９】
また、本実施形態では、前述した第二の実施形態と同様に、２個の覆い部材２２４，２２５のそれぞれにおける開閉中心部は、係脱手段であるベルクロ式ファスナー２３５，２３６によりカーテン本体２２に対して取り付け、取り外し自在となっている。
【０１２０】
すなわち、覆い部材２２４とカーテン本体２２とが対面している部分のうち、覆い部材２２４の三辺のうちの高さ２３０に沿う部分には、係脱自在であるベルクロ式ファスナー２３５が設けられており、カーテン本体２２と覆い部材２２４の高さ２３０に沿う部分とは、このベルクロ式ファスナー２３５により係脱自在となっている。覆い部材２２４は、このベルクロ式ファスナー２３５が設けられている箇所を開閉中心部として連通部２３を開閉自在に覆うものである。
【０１２１】
これと同様に、覆い部材２２５とカーテン本体２２とが対面している部分のうち、覆い部材２２５の三辺のうちの高さ２３２に沿う部分には、係脱自在であるベルクロ式ファスナー２３６が設けられており、カーテン本体２２と覆い部材２２５の高さ２３２に沿う部分とは、ベルクロ式ファスナー２３６により係脱自在となっている。覆い部材２２５は、このベルクロ式ファスナー２３６が設けられている箇所を開閉中心部として連通部２２３を開閉自在に覆うものである。
【０１２２】
なお、ベルクロ式ファスナーが設けられている箇所及びベルクロ式ファスナーの構造については、後述する。
【０１２３】
カーテン本体２２は、横長の長方形の形状を有する開口部２２３´が形成されている主体部材２２Ａと、この主体部材２２Ａの開口部２２３´の上半分又は略上半分を主体部材２２Ａの図６の手前側の面で覆う横長の長方形の形状を有する補助部材２２Ｂとから構成されており、連通部２２３は、主体部材２２Ａの開口部２２３´のうち、補助部材２２Ｂによって覆われた部分を除いた部分となっている。
【０１２４】
本実施形態では、カーテン本体２２の主体部材２２Ａの開口部２２３´が補助部材２２Ｂで覆われることにより、カーテン本体２２は前述した第二の実施形態におけるカーテン本体２２に類似した構造となる。
【０１２５】
次に、カーテン本体２２の主体部材２２Ａの開口部２２３´が補助部材２２Ｂで覆われ、カーテン本体２２に連通部２２３が形成された状態におけるカーテン本体２２の構造を説明する。
【０１２６】
図６に示すように、連通部２２３の形状は、巻取軸２の軸方向と平行又は略平行である上辺２２７と下辺２２６とを有し、巻取軸２の軸方向と垂直又は略垂直である左辺２２８と右辺２２９とを有する横長の長方形となっている。
【０１２７】
覆い部材２２４は、連通部２２３の一部を覆う覆い部２２４Ａと、連通部２２３からはみ出すはみ出し部２２４Ｂとを有している。これと同様に、覆い部材２２５は、連通部２２３の一部を覆う覆い部２２５Ａと、連通部２２３からはみ出すはみ出し部２２５Ｂとを有している。
【０１２８】
２個の覆い部材２２４，２２５の形状は、連通部２２３の上辺２２７の中点２２７Ｍと連通部２２３の下辺２２６の中点２２６Ｍとを結ぶ直線２６２に対して対称又は略対称な直角三角形となっており、一方の覆い部材２２４の斜辺２３１と他方の覆い部材２２５の斜辺２３３同士は、連通部２２３の上辺２２７の中点２２７Ｍの上部近傍の交点２３４で交差している。
【０１２９】
連通部２２３のうち、覆い部材２２４の覆い部２２４Ａにより覆われた部分を除いた部分である連通残余部２２３Ｘの形状と、覆い部材２２５のはみ出し部２２５Ｂの形状とは、巻取軸２の軸方向と平行又は略平行であって連通部２２３の上端部を通る直線である連通部２２３の上辺２２７に対して対称又は略対称となっている。
【０１３０】
これと同様に、連通部２２３のうち、覆い部材２２５の覆い部２２５Ａにより覆われた部分を除いた部分である連通残余部２２３Ｙの形状と、覆い部材２２４のはみ出し部２２４Ｂの形状とは、連通部２２３の上辺２２７に対して対称又は略対称となっている。
【０１３１】
図６に示すように、一方の覆い部材２２４と他方の覆い部材２２５とは、連通部２２３において一部同士が互いに対面しており、連通部２２３には、両者の一部同士が互いに対面している重なり部２５９が形成されている。この重なり部２５９においては、２個の覆い部材２２４，２２５をそれぞれ形成する薄厚部材が２枚重なった状態となっている。
【０１３２】
カーテン本体２２と覆い部材２２４のはみ出し部２２４Ｂとが互いに対面する部分は、カーテン本体２２及び覆い部材２２４を形成する薄厚部材が２枚重なった状態となり、一方、覆い部材２２４のはみ出し部２２４Ｂとは連通部２２３の上辺２２７に対して対称又は対称又は略対称となっている連通残余部２２３Ｙは、他方の覆い部材２２５に覆われておらず、覆い部材２２４を形成する薄厚部材１枚のみにより覆われた状態となっている。
【０１３３】
これと同様に、カーテン本体２２と覆い部材２２５のはみ出し部２２５Ｂとが互いに対面する部分は、カーテン本体２２及び覆い部材２２５を形成する薄厚部材が２枚重なった状態となり、一方、覆い部材２２５のはみ出し部２２５Ｂとは連通部２２３の上辺２２７に対して対称又は略対称となっている連通残余部２２３Ｘは、他方の覆い部材２２４に覆われておらず、覆い部材２２５を形成する薄厚部材１枚のみにより覆われた状態となっている。
【０１３４】
なお、連通部２２３において、覆い部材２２４と覆い部材２２５の一部同士が互いに対面する重なり部２５９とは連通部２２３の上辺２２７に対して対称又は略対称となっているカーテン本体２２における略逆二等辺三角形の形状を有する一部分２２Ｃは、２個の覆い部材２２４，２２５とは重なり合ってはいない。
【０１３５】
したがって、図６に示すように、連通部２２３が２個の覆い部材２２４，２２５により覆われたときにおいて、カーテン本体２２及び２個の覆い部材２２４，２２５を形成する薄厚部材が３枚重なり合うのは、カーテン本体２２における連通部２２３の上辺２２７の中点２２７Ｍの上部近傍の略三角形部分のみとなる。
【０１３６】
図７は、補助部材２２Ｂで主体部材２２Ａの開口部２２３´を覆う前の状態及び２個の覆い部材２２４，２２５でカーテン本体２２の連通部２２３を覆う前の状態を示す図である。まず、ベルクロ式ファスナーが設けられている箇所及びベルクロ式ファスナーの構造について、図７により、また必要に応じて図６により詳細に説明する。
【０１３７】
図７に示すように、主体部材２２Ａにおける図７の手前側の面において、開口部２２３´の上辺２５２、左辺２５３、右辺２５４の三辺に沿う部分には、係脱手段であるベルクロ式ファスナー２５５，２３５，２３６の一方の係合子であるパイル状の雌型係合子が連設されている。
【０１３８】
一方、補助部材２２Ｂにおける図７の裏側の面において、主体部材２２Ａと補助部材２２Ｂとが互いに対面する部分、すなわち、補助部材２２Ｂの上辺２５６、左辺２５７、右辺２５８に沿う部分には、ベルクロ式ファスナー２５５，２３６，２３７の他方の係合子であるフック状の雄型係合子が連設されている。
【０１３９】
また、補助部材２２Ｂにおける図７の手前側の面において、補助部材２２Ｂと覆い部材２２４とが互いに対面する部分のうち、覆い部材２２４の斜辺２３１の上四半分又は略上四半分に沿う部分には、ベルクロ式ファスナー２３７の一方の係合子であるパイル状の雌型係合子が連設されており、これと同様に、補助部材２２Ｂにおける図７の手前側の面において、補助部材２２Ｂと覆い部２２５とが互いに対面する部分のうち、覆い部材２２５の斜辺２３３の上四半分又は略上四半分に沿う部分には、ベルクロ式ファスナー２３９の一方の係合子であるパイル状の雌型係合子が連設されている。
【０１４０】
さらに、補助部材２２Ｂにおける図７の手前側の面において、補助部材２２Ｂの左辺２５７に沿う部分には、ベルクロ式ファスナー２３５の一方の係合子であるパイル状の雌型係合子が連設されており、これと同様に、補助部材２２Ｂにおける図７の手前側の面において、補助部材２２Ｂの右辺２５８に沿う部分には、ベルクロ式ファスナー２３６の一方の係合子であるパイル状の雌型係合子が連設されている。
【０１４１】
一方、覆い部材２２４における図７の裏側の面において、補助部材２２Ｂと覆い部材２２４とが互いに対面する部分のうち、覆い部材２２４の斜辺２３１の上四半分又は略上四半分に沿う部分には、ベルクロ式ファスナー２３７の他方の係合子であるフック状の雄型係合子が連設されており、これと同様に、覆い部材２２５における図７の裏側の面において、補助部材２２Ｂと覆い部材２２５とが互いに対面する部分のうち、覆い部材２２５の斜辺２３３の上四半分又は略上四半分に沿う部分には、ベルクロ式ファスナー２３９の他方の係合子であるフック状の雄型係合子が連設されている。
【０１４２】
さらに、覆い部材２２４における図７の裏側の面において、覆い部材２２４の高さ２３０に沿う部分には、ベルクロ式ファスナー２３５の他方の係合子であるフック状の雄型係合子が連設されており、これと同様に、覆い部材２２５における図７の裏側の面において、覆い部材２２５の高さ２３２に沿う部分には、ベルクロ式ファスナー２３６の他方の係合子であるフック状の雄型係合子が連設されている。
【０１４３】
補助部材２２Ｂにおける図７の手前側の面において、補助部材２２Ｂと覆い部材２２４とが互いに対面する部分のうち、補助部材２２Ｂの左辺２５７に沿う部分には、ベルクロ式ファスナー２３５の一方の係合子であるパイル状の雌型係合子が連設されており、これと同様に、補助部材２２Ｂにおける図７の手前側の面において、補助部材２２Ｂと覆い部材２２５とが互いに対面する部分のうち、補助部材２２Ｂの右辺２５８に沿う部分には、ベルクロ式ファスナー２３６の一方の係合子であるパイル状の雌型係合子が連設されている。
【０１４４】
覆い部材２２４における図７の裏側の面において、補助部材２２Ｂと覆い部材２２４とが互いに対面する部分のうち、覆い部材２２４の斜辺２３１の上四半分又は略上四半分に沿う部分には、ベルクロ式ファスナー２３７の他方の係合子であるフック状の雄型係合子が連設されており、これと同様に、覆い部材２２５における図７の裏側の面において、補助部材２２Ｂと覆い部材２２５とが互いに対面する部分のうち、覆い部材２２５の斜辺２３３の上四半分又は略上四半分に沿う部分には、ベルクロ式ファスナー２３９の他方の係合子であるフック状の雄型係合子が連設されている。
【０１４５】
前述した図６に示すように、連通部２２３が２個の覆い部材２２４，２２５により覆われるときには、覆い部材２２４と覆い部材２２５とは、連通部２２３において一部同士が互いに対面しており、連通部２２３には、覆い部材２２４と覆い部材２２５の一部同士が互いに対面している略二等辺三角形の形状を有する重なり部２５９が形成されている。
【０１４６】
図７に示すように、覆い部材２２５における図７の手前側の面において、重なり部２５９のうち、図６に示す重なり部２５９の左側の斜辺２６０の上半分又は略上半分に沿う部分には、ベルクロ式ファスナー２４０の一方の係合子であるパイル状の雌型係合子が連設されており、図６に示す重なり部２５９の右側の斜辺２６１の略上半部に沿う部分には、ベルクロ式ファスナー２３８の一方の係合子であるパイル状の雌型係合子が連設されている。
【０１４７】
一方、覆い部材２２４における図７の裏側の面において、重なり部２５９のうち、図６に示す重なり部２５９の左側の斜辺２６０の上半分又は略上半分に沿う部分には、ベルクロ式ファスナー２４０の他方の係合子であるフック状の雄型係合子が連設されており、図６に示す重なり部２５９の右側の斜辺２６１の略上半部に沿う部分には、ベルクロ式ファスナー２３８の他方の係合子であるフック状の雄型係合子が連設されている。
【０１４８】
次に、本実施形態におけるシャッターカーテン２１の組み立てる方法及び順序について、図７により説明する。まず、カーテン本体２２の主体部材２２Ａに形成されている開口部２２３´の上半分又は略上半分を覆うための補助部材２２Ｂを、主体部材２２Ａにおける図７の手前側から主体部材２２Ａに取り付ける。これにより、補助部材２２Ｂの上辺２５６、左辺２５７、右辺２５８に沿う部分は、カーテン本体２２に対して、ベルクロ式ファスナー２５５，２３５，２３６により互いに係合状態となる。
【０１４９】
次に、開口部２２３´の上半分又は略上半分が補助部材２２Ｂにより覆われたことによってカーテン本体２２に形成された連通部２２３の右側部分を覆うために、２個の覆い部材２２４，２２５のうちの覆い部材２２５を、カーテン本体２２における図７の手前側から補助部材２２Ｂ及びカーテン本体２２に取り付ける。この結果、覆い部材２２５における斜辺２３３の上四半分又は略上四半分に沿う部分及び高さ２３２の上半分又は略上半分に沿う部分は、補助部材２２Ｂに対して、ベルクロ式ファスナー２３９，２３６により係合状態となる。また、覆い部材２２５における高さ２３２の略下半分に沿う部分はカーテン本体２２に対して、ベルクロ式ファスナー２３６により係合状態となる。
【０１５０】
最後に、開口部２２３´の上半分又は略上半分が補助部材２２Ｂにより覆われたことによってカーテン本体２２に形成された連通部２２３の左側部分を覆うために、２個の覆い部材２２４，２２５のうちの覆い部材２２４を、カーテン本体２２における図７の手前側から補助部材２２Ｂ及びカーテン本体２２に取り付ける。これにより、覆い部材２２４における斜辺２３１の上四半分又は略上四半分に沿う部分及び高さ２３０の上半分又は略上半分に沿う部分は補助部材２２Ｂに対して、ベルクロ式ファスナー２３７，２３５により係合状態となる。また、覆い部材２２４における高さ２３０の略下半分に沿う部分はカーテン本体２２に対して、ベルクロ式ファスナー２３５により係合状態となる。
【０１５１】
さらに、このとき、連通部２２３において、２個の覆い部材２２４，２２５同士が互いに対面する部分である図６に示す重なり部２５９が形成されるが、２個の覆い部材２２４，２２５同士は、図６に示す重なり部２５９の左辺２６０の上半分又は略上半分に沿う部分及び図６に示す重なり部２５９の右辺２６１の上半分又は略上半分に沿う部分において、ベルクロ式ファスナー２４０，２３８により互いに係合状態となる。
【０１５２】
なお、一度組み立てられたシャッターカーテン２１を分解する場合には、この分解順序は、前述した組み立て順序とは逆の順序のものとなる。すなわち、まず、覆い部材２２４を、主体部材２２Ａ及び覆い部材２２５及び補助部材２２Ｂから取り外し、次に、覆い部材２２５を主体部材２２Ａ及び補助部材２２Ｂから取り外し、最後に、補助部材２２Ｂを主体部材２２Ａから取り外すという順序となる。
【０１５３】
以上の本実施形態では、前述した第二の実施形態と同様に、２個の覆い部材２２４，２２５が、係脱手段であるベルクロ式ファスナー２３５，２３６によりカーテン本体２２に対して取り付け、取り外し自在となっているが、これに加えて、補助部材２２Ｂも係脱手段であるベルクロ式ファスナー２３５，２３６，２５５によりカーテン本体２２に対して取り付け、取り外し自在となっているので、補助部材２２Ｂのみに破損、汚損等が生じた場合には、この破損、汚損等が生じた補助部材２２Ｂのみをカーテン本体２２から取り外すことができるので、この破損、汚損等が生じた補助部材２２Ｂを交換用の補助部材と交換する作業が容易となる。このため、カーテン本体２２のメンテナンスにかかる手間やコストをより削減することができる。
【０１５４】
さらに、本実施形態によると、火災発生時等の非常時等において、避難しようとしている人間が連通部２２３を通り抜けようとする場合、連通部２２３を覆っている２個の覆い部材２２４，２２５の端部をめくり上げた後、さらに、補助部材２２Ｂの端部をめくり上げることにより、シャッターカーテン２１には、連通部２２３よりも大きな連通部が形成されることになり、一度に多くの人間がこの連通部を通り抜けることができ、また、高身長の人間や高さのある物体も容易に連通部を通り抜けることができようになる。
【０１５５】
また、以上の本実施形態では、連通部２２３のうち、一方の覆い部材２２４の覆い部２２４Ａにより覆われた部分を除いた部分である連通残余部２２３Ｘの形状と、他方の覆い部材２２５のはみ出し部２２５Ｂの形状とは、巻取軸２の軸方向と平行又は略平行であって連通部２２３の上端部を通る直線である上辺２２７に対して対称又は略対称となっており、これと同様に、連通部２２３のうち、一方の覆い部材２２５の覆い部２２５Ａにより覆われた部分を除いた部分である連通残余部２２３Ｙの形状と、他方の覆い部材２２４のはみ出し部２２４Ｂの形状とは、巻取軸２の軸方向と平行又は略平行であって連通部２２３の上端部を通る直線である上辺２２７に対して対称又は略対称となっている。
【０１５６】
このため、シャッターカーテン２１が巻取軸２に巻き取られたときには、覆い部材２２４のはみ出し部２２４Ｂと、このはみ出し部２２４Ｂの形状とは連通部２２３の上辺２２７に対して対称又は略対称の形状となっていて、覆い部材２４に覆われている連通残余部２３Ｙとが、巻取軸２の軸径方向に重なり合うことになり、これと同様に、覆い部材２２５のはみ出し部２２５Ｂと、このはみ出し部２２５Ｂの形状とは連通部２２３の上辺２２７に対して対称又は略対称の形状となっていて、覆い部材２２５に覆われている連通残余部２２３Ｘとが、巻取軸２の軸径方向に重なり合うことになる。すなわち、シャッターカーテン２１が巻取軸２に巻き取られたときには、最大で略３枚のカーテン本体２２が巻取軸２の軸径方向に重なり合うことになる。
【０１５７】
したがって、本実施形態によると、前述した第一〜第三の実施形態と同様に、シャッターカーテン２１を巻取軸２に巻き取って収納した際のシャッターカーテン２１の巻径のうち、２個の覆い部材２２４，２２５が設けられている部分の巻径は、従来のシャッター装置のものと比較してより小さいものとなり、これにより、巻径調整用部材等の特別の部材を用いなくても、巻取軸２におけるシャッターカーテン２１の巻径を巻取軸２の軸方向により略均一化できるようになる。
【０１５８】
さらに、本実施形態によると、連通部２２３が２個の覆い部材２２４，２２５により覆われるときには、連通部２２３において、覆い部材２２４と覆い部材２２５の一部同士が互いに対面する重なり部２５９の一部が、ベルクロ式ファスナー２３８，２４０により係合状態となるので、連通部２２３の密閉性は、前述した第一〜第三の実施形態と比較して低下するものではない。
【０１５９】
また、本実施形態では、シャッターカーテン２１を巻取軸２に巻き取ったときに、ベルクロ式ファスナー２３７とベルクロ式ファスナー２４０とが、巻取軸２の軸径方向に重なり合うことはなく、また、ベルクロ式ファスナー２３９とベルクロ式ファスナー２３８とが、巻取軸２の軸径方向に重なり合うこともない。
【０１６０】
このため、本実施形態によると、カーテン本体２２及び２個の覆い部材２２４，２２５に４個のベルクロ式ファスナー２３７，２３８，２３９，２４０を設けても、巻取軸２におけるシャッターカーテン２１の巻径を巻取軸２の軸方向に略均一化できるようになる。
【０１６１】
なお、本実施形態では、覆い部材２２４の斜辺２３１と覆い部材２２５の斜辺２３３同士は、連通部２２３の上辺２２７の中点２２７Ｍの上部近傍で交差しているが、覆い部材２２４の斜辺２３１と覆い部材２２５の斜辺２３３同士が、連通部２２３の上辺２２７の中点２２７Ｍでちょうど交差するように、カーテン本体２２に２個の覆い部材２２４，２２５を配設することにより、連通部２２３が２個の覆い部材２２４，２２５により覆われたときにおいては、カーテン本体２２と、覆い部材２２４と、覆い部材２２５との３枚が互いに重なり合う部分を無くすことができ、シャッターカーテン２１の巻径を巻取軸２の軸方向により略均一化できるようになる。
【０１６２】
図８は、本発明の第五の実施形態であり、前述した第一の実施形態における連通部を覆う２個の覆い部材の形状を異なるものとした実施形態を示すものである。以下、本実施形態のシャッターカーテンの構造を前述した第一の実施形態の場合と同様に説明する。
【０１６３】
図８は、閉鎖動作により室内空間１１を仕切るとともに、巻取軸２に巻き取られて収納されるシャッターカーテン２１を有し、このシャッターカーテン２１は、カーテン本体２２と、このカーテン本体２２の中央部又は略中央部に形成され、シャッターカーテン２１により仕切られた室内空間１１同士の間を連通させる１個の連通部３２３と、カーテン本体２２における図８の手前側の面で連通部３２３を覆う覆い部材３２４と、カーテン本体２２における図８の裏側の面で連通部３２３を覆う覆い部材３２５とを含んで構成された防災用シャッター装置１の全体正面図を示すものである。
【０１６４】
覆い部材３２４は、連通部３２３の一部を覆う覆い部３２４Ａと、連通部３２３からはみ出すはみ出し部３２４Ｂとを有している。これと同様に、覆い部材３２５は、連通部３２３の一部を覆う覆い部３２５Ａと、連通部３２３からはみ出すはみ出し部３２５Ｂとを有している。
【０１６５】
図８に示すように、連通部３２３の形状は、前述した第一の実施形態と同様に、巻取軸２の軸方向と平行又は略平行である上辺３２７と下辺３２６とを有し、巻取軸２の軸方向と垂直又は略垂直である左辺３２８、右辺３２９とを有する長方形となっている。
【０１６６】
一方、２個の覆い部材３２４，３２５のうち、一方の覆い部材３２４の形状は、巻取軸２の軸方向と平行又は略平行である上辺３４９，下辺３４８と、巻取軸２の軸方向と垂直又は略垂直である高さ３３０と、斜辺３３１とからなる台形となっており、これと同様に、他方の覆い部材３２５の形状は、巻取軸２の軸方向と平行又は略平行である上辺３５１、下辺３５０と、巻取軸２の軸方向と垂直又は略垂直である高さ３３２と、斜辺３３３とからなる台形となっている。
【０１６７】
これらの２個の覆い部材３２４，３２５は、連通部３２３の上辺３２７の中点３２７Ｍと連通部３２３の下辺３２６の中点３２６Ｍとを結ぶ直線３４７に対して対称となっている。
【０１６８】
２個の覆い部材３２４，３２５の下辺３４８，３５０の長さは、ともに連通部３２３の下辺３２６よりも短く、その長さは、連通部３２３の下辺３２６の長さの略４分の３となっている。
【０１６９】
一方の覆い部材３２４の上辺３４９の長さは、連通部３２３の下辺３２６から他方の覆い部材３２５の下辺３５０を除いた長さと略同一、すなわち、連通部３２３の下辺３２６の略４分の１となっている。これと同様に、他方の覆い部材３２５の上辺３５１の長さは、連通部３２３の下辺３２６から一方の覆い部材３２４の下辺３４８を除いた長さと略同一、すなわち、連通部３２３の下辺３２６の略４分の１となっている。
【０１７０】
連通部３２３のうち、覆い部材３２４の覆い部３２４Ａにより覆われた部分を除いた部分である連通残余部３２３Ｘの形状と、覆い部材３２５のはみ出し部３２５Ｂの形状とは、巻取軸２の軸方向と平行又は略平行であって連通部３２３の上端部を通る直線である連通部３２３の上辺３２７に対して対称又は略対称となっている。これと同様に、連通部３２３のうち、覆い部材３２５の覆い部３２５Ａにより覆われた部分を除いた部分である連通残余部３２３Ｙの形状と、覆い部材３２４のはみ出し部３２４Ｂの形状とは、巻取軸２の軸方向と平行又は略平行であって連通部３２３の上端部を通る直線である連通部３２３の上辺３２７に対して対称又は略対称となっている。
【０１７１】
連通部３２３は、２個の覆い部材３２４，３２５により覆われており、一方の覆い部材３２４と他方の覆い部材３２５とは、連通部３２３において一部同士が互いに対面しており、連通部３２３には、覆い部材３２４と覆い部材３２５の一部同士が互いに対面している略二等辺三角形の形状を有する重なり部３４３が形成されている。
【０１７２】
なお、図８に示すように、連通部３２３が２個の覆い部材３２４，３２５により覆われるときには、２個の覆い部材３２４，３２５の斜辺３３１，３３３同士は、連通部の上辺３２７の中点３２７Ｍでちょうど、又はここより若干上方で交差している。
【０１７３】
覆い部材３２４とカーテン本体２２とは、覆い部材３２４の高さ３３０に沿うように設けられた縫着部３３５で取り外し不能に縫着されており、覆い部材３２４は、この縫着部３３５を開閉中心部として連通部３２３を開閉自在に覆うものである。
【０１７４】
これと同様に、覆い部材３２５とカーテン本体２２とは、覆い部材３２５の高さ３３２に沿うように設けられた縫着部３３６で取り外し不能に縫着されており、覆い部材３２５は、この縫着部３３６を開閉中心部として連通部３２３を開閉自在に覆うものである。
【０１７５】
図８に示すように、連通部３２３が２個の覆い部材３２４，３２５により覆われた状態においては、カーテン本体２２と覆い部材３２４のはみ出し部３２４Ｂとが互いに対面する部分は、カーテン本体２２及び覆い部材３２４を形成する薄厚部材が２枚重なった状態となり、一方、覆い部材３２４のはみ出し部３２４Ｂとは連通部３２３の上端部を通る直線である連通部３２３の上辺３２７に対して対称又は略対称となっている連通残余部３２３Ｙは、他方の覆い部材３２５に覆われておらず、覆い部材３２４を形成する薄厚部材１枚のみにより覆われた状態となっている。
【０１７６】
これと同様に、連通部３２３が２個の覆い部材３２４，３２５により覆われた状態において、カーテン本体２２と覆い部材３２５のはみ出し部３２５Ｂとが互いに対面する部分は、カーテン本体２２及び覆い部材３２５を形成する薄厚部材が２枚重なった状態となり、一方、覆い部材３２５のはみ出し部３２５Ｂとは連通部３２３の上端部を通る直線である連通部３２３の上辺３２７に対して対称又は略対称となっている連通残余部３２３Ｘは、他方の覆い部材３２４に覆われておらず、覆い部材３２５を形成する薄厚部材１枚のみにより覆われた状態となっている。
【０１７７】
また、覆い部材３２４の開閉中心部がカーテン本体２２に取り外し不能に縫着されている縫着部３３５及びこの近傍は、カーテン本体２２及び覆い部材３２４を形成する薄厚部材が２枚重なった状態となっており、これと同様に、覆い部材３２５の開閉中心部がカーテン本体２２に取り外し不能に縫着されている縫着部３３６及びこの近傍は、カーテン本体２２及び覆い部材３２５を形成する薄厚部材が２枚重なった状態となっている。
【０１７８】
なお、図８に示すように、連通部３２３において、覆い部材３２４と覆い部材３２５の一部同士が互いに対面する重なり部３４３とは連通部３２３の上端部を通る直線である連通部３２３の上辺３２７に対して対称又は略対称となっているカーテン本体２２における略逆二等辺三角形の形状を有する一部分３４６は、２個の覆い部材３２４，３２５のいずれとも重なり合ってはいない。
【０１７９】
前述したように、連通部３２３は、２個の覆い部材３２４，３２５により覆われており、一方の覆い部材３２４と他方の覆い部材３２５とは、連通部３２３において一部同士が互いに対面しており、連通部３２３には、覆い部材３２４と覆い部材３２５の一部同士が互いに対面している略二等辺三角形の形状を有する重なり部３４３が形成されている。
【０１８０】
この重なり部３４３のうち、重なり部３４３の右側の斜辺３４５の上半分又は略上半分に沿う部分には、係脱手段であるベルクロ式ファスナー３３８が設けられており、重なり部３４３の右側の斜辺３４５の上半分又は略上半分に沿う部分同士は、このベルクロ式ファスナー３３８により係脱自在となっている。
【０１８１】
これと同様に、重なり部３４３のうち、重なり部３４３の左側の斜辺３４４の上半分又は略上半分に沿う部分には、係脱手段であるベルクロ式ファスナー３４０が設けられており、重なり部３４３の左側の斜辺３４５の上半分又は略上半分に沿う部分同士は、このベルクロ式ファスナー３４０により係脱自在となっている。
【０１８２】
また、覆い部材３２４のはみ出し部３２４Ｂとカーテン本体２２とが対面している部分のうち、覆い部材３２４の斜辺３３１の上四半分又は略上四半分に沿う部分には、係脱手段であるいわゆるベルクロ式ファスナー３３７が設けられており、カーテン本体２２と、はみ出し部３２４Ｂにおける覆い部材３２４の斜辺３３１の上四半分又は略上四半分に沿う部分とは、このベルクロ式ファスナー３３７により係脱自在となっている。
【０１８３】
これと同様に、覆い部材３２５のはみ出し部３２５Ｂとカーテン本体２２とが対面している部分のうち、覆い部材３２５の斜辺３３３の上四半分又は略上四半分に沿う部分には、ベルクロ式ファスナー３３９が設けられており、カーテン本体２２と、はみ出し部３２５Ｂにおける覆い部材３２５の斜辺３３３の上四半分又は略上四半分に沿う部分とは、このベルクロ式ファスナー３３９により係脱自在となっている。
【０１８４】
なお、前述したように、ベルクロ式ファスナー３３７は、覆い部材３２４のはみ出し部３２４Ｂとカーテン本体２２とが対面している部分のうち、覆い部材３２４の斜辺３３１の上四半分又は略上四半分に沿う部分に設けられており、一方、ベルクロ式ファスナー３４０は、連通部３２３における覆い部材３２４と覆い部材３２５の一部同士が互いに対面している重なり部３４３の左側の斜辺３４４の上半分又は略上半分に沿う部分に設けられているので、シャッターカーテン２１を巻取軸２に巻き取ったときに、ベルクロ式ファスナー３３７とベルクロ式ファスナー３４０とが、巻取軸２の軸径方向に重なり合うことはない。
【０１８５】
これと同様に、ベルクロ式ファスナー３３９は、覆い部材３２５のはみ出し部３２５Ｂとカーテン本体２２とが対面している部分のうち、覆い部材３２５の斜辺３３３の上四半分又は略上四半分に沿う部分に設けられており、ベルクロ式ファスナー３３８は、連通部３２３における覆い部材３２４と覆い部材３２５の一部同士が互いに対面している重なり部３４３の右側の斜辺３４５の上半分又は略上半分に沿う部分に設けられているので、シャッターカーテン２１を巻取軸２に巻き取ったときに、ベルクロ式ファスナー３３９とベルクロ式ファスナー３３８とが、巻取軸２の軸径方向に重なり合うことはない。
【０１８６】
シャッターカーテン２１が全閉鎖状態にあるときにおいて、例えば、図８の手前側の空間にいる人間が、連通部３２３を図８の手前側から図８の奥側へと通り抜けようとする場合には、人間は、覆い部材３２４の下端部をめくり上げればよい。これにより、覆い部材３２４の覆い部３２４Ａと覆い部材３２５の覆い部３２５Ａとの係合状態を保持しているベルクロ式ファスナー３３８，３４０の係合状態が解除されるので、この後、人間は、連通部３２３をカーテン本体２２における図８の奥側で覆っている覆い部材３２５の覆い部３２５Ａを図８の奥側方向へ押すか、又は覆い部３２５Ａの下端部をめくり上げることにより、座板４１をまたぎながら、連通部３２３を通り抜けることができる。
【０１８７】
以上の本実施形態では、連通部３２３のうち、一方の覆い部材３２４の覆い部３２４Ａにより覆われた部分を除いた部分である連通残余部３２３Ｘの形状と、他方の覆い部材３２５のはみ出し部３２５Ｂの形状とは、巻取軸２の軸方向と平行又は略平行であって連通部３２３の上端部を通る直線である上辺３２７に対して対称又は略対称となっており、これと同様に、連通部３２３のうち、一方の覆い部材３２５の覆い部３２５Ａにより覆われた部分を除いた部分である連通残余部３２３Ｙの形状と、他方の覆い部材３２４のはみ出し部３２４Ｂの形状とは、巻取軸２の軸方向と平行又は略平行であって連通部３２３の上端部を通る直線である上辺３２７に対して対称又は略対称となっている。
【０１８８】
このため、シャッターカーテン２１が巻取軸２に巻き取られたときには、覆い部材３２４のはみ出し部３２４Ｂと、このはみ出し部３２４Ｂの形状とは連通部３２３の上辺３２７に対して対称又は略対称の形状となっていて、覆い部材３２４に覆われている連通残余部３２３Ｙとが、巻取軸２の軸径方向に重なり合うことになり、これと同様に、覆い部材３２５のはみ出し部３２５Ｂと、このはみ出し部３２５Ｂの形状とは連通部３２３の上辺３２７に対して対称又は略対称の形状となっていて、覆い部材３２５に覆われている連通残余部３２３Ｘとが、巻取軸２の軸径方向に重なり合うことになる。すなわち、シャッターカーテン２１が巻取軸２に巻き取られたときには、最大で略３枚のカーテン本体２２が巻取軸２の軸径方向に重なり合うことになる。
【０１８９】
前述した特許文献１に記載されている従来のシャッターカーテン装置は、２枚の覆い部材が、カーテン本体における一方の面及び他方の面で連通部全体を覆うものであり、連通部が２枚の覆い部材により覆われたときには、連通部の全部分で２枚の覆い部材が重なり合っている状態となり、また、２枚の覆い部材がカーテン本体に縫着されている部分は、２枚の覆い部材と１枚のカーテン本体とが重なり合っている状態となるので、シャッターカーテンが巻取軸に巻き取られたときには、最大で略５枚のカーテン本体が巻取軸の軸径方向に重なり合うことになる。
【０１９０】
したがって、本実施形態によると、シャッターカーテン２１を巻取軸２に巻き取って収納した際のシャッターカーテン２１の巻径のうち、２個の覆い部材３２４，３２５が設けられて部分の巻径は、前述した第一の実施形態と同様に、従来のシャッター装置のものと比較してより小さいものとなり、これにより、巻径調整用部材等の特別の部材を用いなくても、巻取軸２におけるシャッターカーテン２１の巻径を巻取軸２の軸方向により略均一化できるようになる。
【０１９１】
さらに、前述したように、本実施形態では、連通部３２３が２個の覆い部材３２４，３２５により覆われるときには、２個の覆い部材３２４，３２５の斜辺３３１，３３３同士は、連通部の上辺３２７の中点３２７Ｍでちょうど、又はここより若干上方で交差しているので、前述した第一の実施形態とは異なり、連通部３２３が２個の覆い部材３２４，３２５により覆われたときにおいて、カーテン本体２２と、覆い部材３２４と、覆い部材３２５との３枚が互いに重なり合う部分は無くなり、シャッターカーテン２１の巻径を巻取軸２の軸方向により略均一化できるようになる。
【０１９２】
また、本実施形態によると、２個の覆い部材３２４，３２５のそれぞれにおける開閉中心部である縫着部３３５，３３６が、カーテン本体２２に取り外し不能に密着結合、すなわち、縫着されているので、連通部３２３を２個の覆い部材３２４，３２５で覆ったときにおける連通部３２３の密閉性は高いものとなり、また、２個の覆い部材３２４，３２５のそれぞれがカーテン本体２２から脱落するような事態の発生を防止することができる。
【０１９３】
さらに、本実施形態によると、連通部３２３が２個の覆い部材３２４，３２５により覆われるときには、一方の覆い部材３２４と他方の覆い部材３２５とが連通部３２３において一部同士が互いに対面しているので、一方の覆い部材３２４と他方の覆い部材３２５とが、連通部３２３において一部同士が互いに対面しない場合と比較して、連通部３２３の密閉性を高めることができる。
【０１９４】
なお、本実施形態では、２個の覆い部材３２４，３２５の下辺３４８，３５０の長さは、ともに連通部３２３の下辺３２６よりも短く、その長さは、連通部３２３の下辺３２６の長さの略４分の３となっているが、連通部３２３が２個の覆い部材３２４，３２５により覆われるときには、連通部３２３において、覆い部材３２４と覆い部材３２５の一部同士が互いに対面する重なり部３４３の一部が、ベルクロ式ファスナー３３８，３４０により係合状態となるので、前述した第一の実施形態と比較しても、連通部３２３の密閉性は低下するものではない。
【０１９５】
また、本実施形態では、シャッターカーテン２１を巻取軸２に巻き取ったときに、ベルクロ式ファスナー３３７とベルクロ式ファスナー３４０とが、巻取軸２の軸径方向に重なり合うことはなく、また、ベルクロ式ファスナー３３９とベルクロ式ファスナー３３８とが、巻取軸２の軸径方向に重なり合うこともない。
【０１９６】
このため、本実施形態によると、カーテン本体２２及び２個の覆い部材３２４，３２５に４個のベルクロ式ファスナー３３７，３３８，３３９，３４０を設けても、巻取軸２におけるシャッターカーテン２１の巻径を巻取軸２の軸方向に略均一化できるようになる。
【０１９７】
なお、本実施形態において、２個の覆い部材３２４，３２５の下辺３４８，３５０の長さを連通部３２３の下辺３２６の長さの略４分の３としたのは一例であり、２個の覆い部材の下辺の長さは、２個の覆い部材により連通部３２３を覆うことが可能な値であればよい。したがって、２個の覆い部材の下辺の長さは、例えば、連通部３２３の下辺３２６の長さの略３分の２でもよく、略５分の４でもよく、要するに、連通部３２３の下辺３２６の長さの２分の１よりも長い値であれば任意である。
【０１９８】
ただし、連通部３２３の閉鎖性、密閉性の向上の観点からは、２個の覆い部材が連通部３２３において重なる面積が大きい方が、すなわち、２個の覆い部材の下辺の長さが長い方が好ましい。
【０１９９】
本実施形態では、台形の形状を有する２個の覆い部材３２４，３２５の開閉中心部がカーテン本体２２に取り外し不能に縫着されているものであるが、前述した第二の実施形態のように、２個の覆い部材３２４，３２５のそれぞれが、カーテン本体２２に対して、取り付け、取り外し自在となるものでもよい。
【０２００】
また、前述した第四の実施形態において、主体部材に対して取り付け、取り外し自在となっていて連通部を覆う２個の補助部材のそれぞれの形状を、本実施形態における２個の覆い部材のように台形としてもよい。
【図面の簡単な説明】
【０２０１】
【図１】本発明の第一の実施形態に係る防災用シャッター装置の全体正面図である。
【図２】図１において、２個の覆い部材でカーテン本体の連通部を覆う前の状態を示す図である。
【図３】本発明の第二の実施形態に係る防災用シャッター装置の全体正面図である。
【図４】図３において、２個の覆い部材でカーテン本体の連通部を覆う前の状態を示す図である。
【図５】本発明の第三の実施形態に係る防災用シャッター装置の全体正面図である。
【図６】本発明の第四の実施形態に係る防災用シャッター装置の全体正面図である。
【図７】図６において、補助部材で主体部材の開口部を覆う前の状態及び２個の覆い部材でカーテン本体の連通部を覆う前の状態を示す図である。
【図８】本発明の第五の実施形態に係る防災用シャッター装置の全体正面図である。
【符号の説明】
【０２０２】
１  防災用シャッター装置
２  巻取軸
２１  シャッターカーテン
２２  カーテン本体
２２Ａ  主体部材
２２Ｂ  補助部材
２３，１２３Ａ，１２３Ｂ，１２３Ｃ，２２３，３２３  連通部
２２３´  開口部
２４，２５，１２４Ａ，１２４Ｂ，１２４Ｃ，１２５Ａ，１２５Ｂ，１２５Ｃ，２２４，２２５，３２４，３２５  覆い部材
２４Ａ，２５Ａ，２２４Ａ，２２５Ａ，３２４Ａ，３２５Ａ  覆い部材の覆い部
２４Ｂ，２５Ｂ，２２４Ｂ，２２５Ｂ，３２４Ｂ，３２５Ｂ  覆い部材のはみ出し部
２３Ｘ，２３Ｙ，２２３Ｘ，２２３Ｙ，３２３Ｘ，３２３Ｙ  連通部の連通残余部
２６，２２６，３２６  連通部の下辺
２６Ｍ，２２６Ｍ，３２６Ｍ  連通部の下辺の中点
２７，２２７，３２７  連通部の上辺
２７Ｍ，２２７Ｍ，３２７Ｍ  連通部の上辺の中点
３１，３３，２３１，２３３，３３１，３３３  覆い部材の斜辺
３４８，３５０  台形の形状を有する覆い部材の下辺
３４９，３５１  台形の形状を有する覆い部材の上辺
３４，２３４  ２個の覆い部材の斜辺同士が交差する交点
３５，３６，３３５，３３６  覆い部材をカーテン本体に結合させるための縫着部
３５´，３６´，３７，３８，３９，４０，２３５，２３６，２３７，２３８，２３９，２４０，２５５，３３７，３３８，３３９，３４０  係脱手段であるベルクロ式ファスナー
４３，２５９，３４３  連通部において２個の覆い部材の一部同士が対面する重なり部
４７，２６２，３４７  連通部の上辺の中点と連通部の下辺の中点とを結ぶ直線
【図１】
2005180124.tif 000003
【図２】
2005180124.tif 000004
【図３】
2005180124.tif 000005
【図４】
2005180124.tif 000006
【図５】
2005180124.tif 000007
【図６】
2005180124.tif 000008
【図７】
2005180124.tif 000009
【図８】
2005180124.tif 000010